(57)【要約】【課題】床暖房性能の測定を正確に行い易くし、しかも、その測定に要する時間の短縮化を図ること。【解決手段】暖房対象空間４における床暖房用の放熱体２が設置された床部４ａの暖房性能を測定する床暖房性能測定方法において、区画形成体６を暖房対象空間の床部上に載置して、その区画形成体６の内部に暖房対象空間とは熱遮断状態に区画されかつ床部と連通する測定対象空間を形成し、その測定対象空間内の雰囲気温度および測定対象空間内の床部の表面温度を測定する。【選択図】        図１
2004150703.tif 000002
【特許請求の範囲】
【請求項１】
暖房対象空間における床暖房用の放熱体が設置された床部の暖房性能を測定する床暖房性能測定方法であって、
区画形成体を前記暖房対象空間の床部上に載置して、その区画形成体の内部に前記暖房対象空間とは熱遮断状態に区画されかつ前記床部と連通する測定対象空間を形成し、その測定対象空間内の雰囲気温度および前記測定対象空間内の前記床部の表面温度を測定する床暖房性能測定方法。
【請求項２】
暖房対象空間における床暖房用の放熱体が設置された床部の暖房性能を測定する床暖房性能測定方法であって、
区画形成体を前記暖房対象空間の床部上に載置して、その区画形成体の内部に前記暖房対象空間とは熱遮断状態に区画されかつ前記床部と連通する測定対象空間を形成し、その測定対象空間内の雰囲気温度および前記測定対象空間内の前記床部からの放熱量を測定する床暖房性能測定方法。
【請求項３】
前記床暖房用の放熱体は、熱源から熱媒が循環供給される熱媒循環式の放熱体であり、前記熱源から前記熱媒循環式の放熱体に供給される熱媒の往き温度、前記熱媒循環式の放熱体から前記熱源に戻される熱媒の戻り温度、前記熱源から前記熱媒循環式の放熱体に循環供給される熱媒の循環流量、および、前記熱源から前記熱媒循環式の放熱体までの熱媒流通管の長さに基づいて、前記熱源から前記熱媒循環式の放熱体に供給される熱量を推定する請求項１または２に記載の床暖房性能測定方法。
【請求項４】
暖房対象空間における床暖房用の放熱体が設置された床部の暖房性能を測定する床暖房性能測定装置であって、
前記床部上に載置した載置状態において、前記暖房対象空間とは熱遮断状態に区画されかつ前記床部と連通する測定対象空間を形成する区画形成体と、
前記測定対象空間内の雰囲気温度を測定する雰囲気温度測定手段と、
前記測定対象空間内の前記床部の表面温度を測定する表面温度測定手段とを備えている床暖房性能測定装置。
【請求項５】
暖房対象空間における床暖房用の放熱体が設置された床部の暖房性能を測定する床暖房性能測定装置であって、
前記床部上に載置した載置状態において、前記暖房対象空間とは熱遮断状態に区画されかつ前記床部と連通する測定対象空間を形成する区画形成体と、
前記測定対象空間内の雰囲気温度を測定する雰囲気温度測定手段と、
前記測定対象空間内の前記床部からの放熱量を測定する放熱量測定手段とを備えている床暖房性能測定装置。
【請求項６】
前記床暖房用の放熱体は、熱源から熱媒が循環供給される熱媒循環式の放熱体であり、
前記熱源から前記熱媒循環式の放熱体に供給される熱量を、前記熱源から前記熱媒循環式の放熱体までの熱媒流通管の長さに基づいて推定するために、前記熱源から前記熱媒循環式の放熱体に供給される熱媒の往き温度を測定する往き温度測定手段と、前記熱媒循環式の放熱体から前記熱源に戻される熱媒の戻り温度を測定する戻り温度測定手段と、前記熱源から前記熱媒循環式の放熱体に循環供給される熱媒の循環流量を測定する循環流量測定手段とを備えている請求項４または５に記載の床暖房性能測定装置。
【請求項７】
前記測定対象空間内の雰囲気温度を設定温度に維持する雰囲気温度維持手段が設けられている請求項４〜６のいずれか１項に記載の床暖房性能測定装置。
【請求項８】
前記区画形成体には、前記載置状態において、前記測定対象空間と前記暖房対象空間とを連通する開口部が設けられ、
前記雰囲気温度維持手段は、前記開口部の開口度合いを調整する調整手段にて構成されている請求項７に記載の床暖房性能測定装置。
【請求項９】
前記区画形成体は、折り畳み自在に構成されている請求項４〜８のいずれか１項に記載の床暖房性能測定装置。
【発明の詳細な説明】
【０００１】
【発明の属する技術分野】
本発明は、暖房対象空間における床暖房用の放熱体が設置された床部の暖房性能を測定する床暖房性能測定方法、および、暖房対象空間における床暖房用の放熱体が設置された床部の暖房性能を測定する床暖房性能測定装置に関する。
【０００２】
【従来の技術】
上記のような床暖房性能測定方法および床暖房性能測定装置は、実際に暖房対象空間の床部に床暖房用の放熱体を設置した状態において、暖房対象空間の床部がどれくらいの暖房性能があるかの検査や、暖房対象空間の床部において所望の暖房性能が現出しているかの検査を行うために用いられている。
【０００３】
そして、従来の床暖房性能測定方法としては、区画形成体を暖房対象空間の床部上に載置して、その区画形成体の内部に暖房対象空間とは熱遮断状態に区画されかつ床部と連通する測定対象空間を形成し、その測定対象空間内の床部の表面温度と暖房対象空間の雰囲気温度とを測定していた。なお、暖房対象空間の雰囲気温度は、区画形成体から離れた所定箇所で測定している。
また、従来の床暖房性能測定用の装置としては、暖房対象空間の床部上に載置した載置状態において、暖房対象空間とは熱遮断状態に区画されかつ床部と連通する測定対象空間を形成する区画形成体と、測定対象空間内の床部の表面温度を測定する表面温度測定手段と、暖房対象空間の雰囲気温度を測定する雰囲気温度測定手段とを備えていた。
【０００４】
以上の如く、床暖房性能測定方法および床暖房性能測定装置のいずれにおいても、従来では、暖房対象空間とは熱遮断状態に区画されかつ床部と連通する測定対象空間を形成し、その測定対象空間内の床部の表面温度と暖房対象空間の雰囲気温度とを測定していた（例えば、特許文献１参照。）。
【０００５】
【特許文献１】
特開平９−２６４５４４号公報
【０００６】
【発明が解決しようとする課題】
上記従来の床暖房性能測定方法および床暖房性能測定装置においては、暖房対象空間とは熱遮断状態に区画されかつ床部と連通する測定対象空間を形成し、その測定対象空間内の床部の表面温度および暖房対象空間の雰囲気温度を測定しているので、暖房対象空間の雰囲気温度がどのような温度のときに、測定対象空間内の床部の表面温度がどのような温度であるかを測定することができ、測定対象空間内の床部の表面温度だけでなく、暖房対象空間の雰囲気温度を加味しながら、床暖房性能の測定を行うことができることになる。
【０００７】
ちなみに、暖房対象空間の床部の表面温度と暖房対象空間内の雰囲気温度とは、図８に示すように、表面温度が上昇すれば、雰囲気温度も上昇するという相関関係を有するので、床部の表面温度だけでなく、その床部の雰囲気温度を加味することにより、床暖房性能の測定を正確に行うことができることになる。
図８は、床暖房用の放熱体にて放熱を開始してから、暖房対象空間の床部の表面温度▲１▼と暖房対象空間内の雰囲気温度▲２▼との時間経過に伴う変化を示すグラフであり、図中実線は、外気温も平均的な温度で、暖房対象空間の断熱も良好である場合を示し、図中点線は、外気温が極端に低い場合や暖房対象空間の断熱が悪い場合を示している。
【０００８】
しかしながら、暖房対象空間は、床部以外からの熱の影響を受けるので、暖房対象空間の雰囲気温度を加味すると、床部以外からの熱の影響も含んでしまうことになり、かえって床暖房性能の測定を正確に行い難いものとなり、しかも、暖房対象空間は、比較的大きな空間であるので、その雰囲気温度が上昇するまでに時間がかかり、床暖房性能の測定に要する時間が長くなるものであった。
【０００９】
本発明は、かかる点に着目してなされたものであり、その目的は、床暖房性能の測定を正確に行い易くし、しかも、その測定に要する時間の短縮化を図ることが可能となる床暖房性能測定方法および床暖房性能測定装置を提供する点にある。
【００１０】
【課題を解決するための手段】
この目的を達成するために、請求項１に記載の発明によれば、暖房対象空間における床暖房用の放熱体が設置された床部の暖房性能を測定する床暖房性能測定方法において、
区画形成体を前記暖房対象空間の床部上に載置して、その区画形成体の内部に前記暖房対象空間とは熱遮断状態に区画されかつ前記床部と連通する測定対象空間を形成し、その測定対象空間内の雰囲気温度および前記測定対象空間内の前記床部の表面温度を測定する。
【００１１】
すなわち、暖房対象空間の床部上に区画形成体を載置して、床部のみからの熱の影響を受ける測定対象空間を形成し、その測定対象空間内の雰囲気温度および測定対象空間内の床部の表面温度を測定して、床暖房性能の測定を行うので、測定対象空間内の床部における熱情報だけでなく、床部のみからの熱の影響を受ける空間であって、暖房対象空間よりも狭い空間である測定対象空間内の雰囲気温度を加味しながら、床暖房性能の測定を行うことができることになる。
したがって、床部以外からの熱の影響を受けない状態で、しかも、温度上昇が短時間である雰囲気の温度情報を加味する状態で、床暖房性能の測定を行うことができることとなって、床暖房性能の測定を正確に行い易くし、しかも、その測定に要する時間の短縮化を図ることが可能となる床暖房性能測定方法を提供できるに至った。
【００１２】
請求項２に記載の発明によれば、暖房対象空間における床暖房用の放熱体が設置された床部の暖房性能を測定する床暖房性能測定方法において、
区画形成体を前記暖房対象空間の床部上に載置して、その区画形成体の内部に前記暖房対象空間とは熱遮断状態に区画されかつ前記床部と連通する測定対象空間を形成し、その測定対象空間内の雰囲気温度および前記測定対象空間内の前記床部からの放熱量を測定する。
【００１３】
すなわち、暖房対象空間の床部上に区画形成体を載置して、床部のみからの熱の影響を受ける測定対象空間を形成し、その測定対象空間内の雰囲気温度および測定対象空間内の床部からの放熱量を測定して、床暖房性能の測定を行うので、測定対象空間内の床部における熱情報だけでなく、床部のみからの熱の影響を受ける空間であって、暖房対象空間よりも狭い空間である測定対象空間内の雰囲気温度を加味しながら、床暖房性能の測定を行うことができることになる。
したがって、床部以外からの熱の影響を受けない状態で、しかも、温度上昇が短時間である雰囲気の温度情報を加味する状態で、床暖房性能の測定を行うことができることとなって、床暖房性能の測定を正確に行い易くし、しかも、その測定に要する時間の短縮化を図ることが可能となる床暖房性能測定方法を提供できるに至った。
【００１４】
請求項３に記載の発明によれば、前記床暖房用の放熱体は、熱源から熱媒が循環供給される熱媒循環式の放熱体であり、前記熱源から前記熱媒循環式の放熱体に供給される熱媒の往き温度、前記熱媒循環式の放熱体から前記熱源に戻される熱媒の戻り温度、前記熱源から前記熱媒循環式の放熱体に循環供給される熱媒の循環流量、および、前記熱源から前記熱媒循環式の放熱体までの熱媒流通管の長さに基づいて、前記熱源から前記熱媒循環式の放熱体に供給される熱量を推定する。
【００１５】
すなわち、熱媒の往き温度、熱媒の戻り温度、熱媒の循環流量、および、熱媒流通管の長さに基づいて、熱源から熱媒循環式の放熱体に供給される熱量を推定するので、測定対象空間内の床部における熱情報を得るだけでなく、推定された熱量を加味しながら、床暖房性能の測定を行うことができることになる。
したがって、暖房対象空間の床部がどれくらいの暖房性能があるかを測定できるだけでなく、床暖房用の放熱体に所望の熱量が供給されているにもかかわらず、所望の床暖房性能が得られていない状態をも判定することができ、床暖房性能の測定を的確に行うことができることになる。
【００１６】
また、請求項２との協働作用により、推定された熱量と測定対象空間内の床部からの放熱量とを単純に比較するだけで、床暖房用の放熱体に所望の熱量が供給されているにもかかわらず、所望の床暖房性能が得られていない状態を判定することができ、床暖房性能の測定の簡素化を図ることもできることになる。
【００１７】
請求項４に記載の発明によれば、暖房対象空間における床暖房用の放熱体が設置された床部の暖房性能を測定する床暖房性能測定装置であって、
前記床部上に載置した載置状態において、前記暖房対象空間とは熱遮断状態に区画されかつ前記床部と連通する測定対象空間を形成する区画形成体と、前記測定対象空間内の雰囲気温度を測定する雰囲気温度測定手段と、前記測定対象空間内の前記床部の表面温度を測定する表面温度測定手段とを備えている。
【００１８】
すなわち、暖房対象空間の床部上に区画形成体を載置状態に載置して、床部のみからの熱の影響を受ける測定対象空間を形成し、雰囲気温度測定手段にて測定対象空間内の雰囲気温度を測定し、表面温度測定手段にて測定対象空間内の床部の表面温度を測定して、床暖房性能の測定を行うことができるので、測定対象空間内の床部における熱情報だけでなく、床部のみからの熱の影響を受ける空間であって、暖房対象空間よりも狭い空間である測定対象空間内の雰囲気温度を加味しながら、床暖房性能の測定を行うことができることになる。
したがって、床部以外からの熱の影響を受けない状態で、しかも、温度上昇が短時間である雰囲気の温度情報を加味する状態で、床暖房性能の測定を行うことができることとなって、床暖房性能の測定を正確に行い易くし、しかも、その測定に要する時間の短縮化を図ることが可能となる床暖房性能測定装置を提供できるに至った。
【００１９】
請求項５に記載の発明によれば、暖房対象空間における床暖房用の放熱体が設置された床部の暖房性能を測定する床暖房性能測定装置であって、
前記床部上に載置した載置状態において、前記暖房対象空間とは熱遮断状態に区画されかつ前記床部と連通する測定対象空間を形成する区画形成体と、前記測定対象空間内の雰囲気温度を測定する雰囲気温度測定手段と、前記測定対象空間内の前記床部からの放熱量を測定する放熱量測定手段とを備えている。
【００２０】
すなわち、暖房対象空間の床部上に区画形成体を載置状態に載置して、床部のみからの熱の影響を受ける測定対象空間を形成し、雰囲気温度測定手段にて測定対象空間内の雰囲気温度を測定し、放熱量測定手段にて測定対象空間内の床部からの放熱量を測定して、床暖房性能の測定を行うことができるので、測定対象空間内の床部における熱情報だけでなく、床部のみからの熱の影響を受ける空間であって、暖房対象空間よりも狭い空間である測定対象空間内の雰囲気温度を加味しながら、床暖房性能の測定を行うことができることになる。
したがって、床部以外からの熱の影響を受けない状態で、しかも、温度上昇が短時間である雰囲気の温度情報を加味する状態で、床暖房性能の測定を行うことができることとなって、床暖房性能の測定を正確に行い易くし、しかも、その測定に要する時間の短縮化を図ることが可能となる床暖房性能測定装置を提供できるに至った。
【００２１】
請求項６に記載の発明によれば、前記床暖房用の放熱体は、熱源から熱媒が循環供給される熱媒循環式の放熱体であり、
前記熱源から前記熱媒循環式の放熱体に供給される熱量を、前記熱源から前記熱媒循環式の放熱体までの熱媒流通管の長さに基づいて推定するために、前記熱源から前記熱媒循環式の放熱体に供給される熱媒の往き温度を測定する往き温度測定手段と、前記熱媒循環式の放熱体から前記熱源に戻される熱媒の戻り温度を測定する戻り温度測定手段と、前記熱源から前記熱媒循環式の放熱体に循環供給される熱媒の循環流量を測定する循環流量測定手段とを備えている。
【００２２】
すなわち、往き温度測定手段にて熱媒の往き温度を測定し、戻り温度測定手段にて熱媒の戻り温度を測定し、循環流量測定手段にて熱媒の循環流量を測定し、それらの測定情報および熱媒流通管の長さに基づいて、熱源から熱媒循環式の放熱体に供給される熱量を推定できるので、測定対象空間内の床部における熱情報を得るだけでなく、推定された熱量を加味しながら、床暖房性能の測定を行うことができることになる。
したがって、暖房対象空間の床部がどれくらいの暖房性能があるかを測定できるだけでなく、床暖房用の放熱体に所望の熱量が供給されているにもかかわらず、所望の床暖房性能が得られていない状態をも判定することができ、床暖房性能の測定を的確に行うことができることになる。
【００２３】
また、請求項５との協働作用により、推定された熱量と測定対象空間内の床部からの放熱量とを単純に比較するだけで、床暖房用の放熱体に所望の熱量が供給されているにもかかわらず、所望の床暖房性能が得られていない状態を判定することができ、床暖房性能の測定の簡素化を図ることもできることになる。
【００２４】
請求項７に記載の発明によれば、前記測定対象空間内の雰囲気温度を設定温度に維持する雰囲気温度維持手段が設けられている。
【００２５】
例えば、暖房対象空間内の雰囲気温度が低いときには、床暖房用の放熱体からの熱のほとんどが、暖房対象空間内の雰囲気温度を上昇させることに用いられ、暖房対象空間内の床部の温度上昇には用いられず、床暖房性能の測定を行うに相応しくない状況となる。
このような状況であっても、雰囲気温度維持手段が、測定対象空間内の雰囲気温度を設定温度に維持するので、床暖房用の放熱体からの熱が、暖房対象空間内の雰囲気温度を上昇させることに用いられることを抑制し、暖房対象空間内の床部の温度上昇に用いられるようにして、床暖房性能の測定を行うに相応しい状況を作り出すことができることになる。
したがって、床暖房性能の測定を行うに相応しくない状況であっても、積極的に床暖房性能の測定を行うに相応しい状況を作り出して、床暖房性能の測定を行うことができることとなって、床暖房性能の測定を非常に行い易いものとなる。
【００２６】
請求項８に記載の発明によれば、前記区画形成体には、前記載置状態において、前記測定対象空間と前記暖房対象空間とを連通する開口部が設けられ、前記雰囲気温度維持手段は、前記開口部の開口度合いを調整する調整手段にて構成されている。
【００２７】
すなわち、区画形成体に開口部を設け、その開口部の開口度合いを調整する調整手段を設け、作業者が調整手段にて開口部の開口度合いを調整することにより、測定対象空間内の雰囲気温度を設定温度に維持することができることになる。したがって、雰囲気温度維持手段としては、区画形成体に開口部を設け、その開口部の開口度合いを調整する調整手段を設けるだけでよく、構成の簡素化を図ることができることになる。
【００２８】
請求項９に記載の発明によれば、前記区画形成体は、折り畳み自在に構成されている。
すなわち、作業者は、区画形成体を折り畳んだ状態で測定対象の暖房対象空間まで持ち込み、その折り畳みを解いて、区画形成体を暖房対象空間の床部上に載置状態に載置することにより、床暖房性能の測定を行うことができることになる。
したがって、区画形成体の取り扱いが容易なものとなって、床暖房性能の測定を行う際の作業の簡素化を図ることができることになる。
【００２９】
【発明の実施の形態】
本発明にかかる床暖房性能測定装置および測定対象となる床暖房設備について図面に基づいて説明する。
この床暖房設備は、図１および図２に示すように、熱源としての熱源機１と、その熱源機１から熱媒が循環供給される熱媒循環式の放熱体としての床暖房パネル２とを備え、床暖房パネル２を暖房対象空間４の床部４ａに敷設して、リモコンＲにより暖房運転の開始および停止の指令に基づいて、熱源機１の運転の開始および停止させるように構成されている。
前記熱源機１は、ガス燃焼式のものであり、熱媒として、例えば、６０℃の温水を、熱媒流通管３を通して床暖房パネル２に循環供給するように構成されている。
ちなみに、床暖房パネル２は、図示はしないが、蛇行状に温水パイプが配設されて、その温水パイプに熱源機１からの熱媒を通流させることにより、暖房対象空間４の床部４ａに対して放熱するように構成されている。
【００３０】
そして、床暖房性能測定装置は、図１および図２に示すように、暖房対象空間４の床部４ａ上に載置した載置状態において、暖房対象空間４とは熱遮断状態に区画されかつ床部４ａと連通する測定対象空間５を形成する区画形成体６と、測定対象空間５内の雰囲気温度を測定する雰囲気温度測定手段としての雰囲気温度センサ７、測定対象空間内の床部の表面温度を測定する表面温度測定手段としての表面温度センサ８、測定対象空間５内の床部４ａからの放熱量を測定する放熱量測定手段としての熱流センサ９などを備えて構成されている。
【００３１】
前記区画形成体６は、図３および図４に示すように、矩形状の土台枠体１０と、その土台枠体１０の上部空間の側部を覆う側壁体１１と、土台枠体１０の上部空間の上部を覆う板状の上壁体１２とからなり、暖房対象空間４の床部４ａに装着した土台枠体１０に側壁体１１を装着し、その側壁体１１に上壁体１２を装着して、暖房対象空間４の床部４ａのみ連通する矩形状の測定対象空間５を形成するように構成されている。
なお、図３は、表面温度センサ８および熱流センサ９を取り付けた状態での床暖房性能測定装置の分解斜視図を示している。
そして、区画形成体６は、図５に示すように、折り畳み自在に構成され、持ち運び可能なハードケース内に収納可能に構成されている。
【００３２】
前記土台枠体１０の周部には、上方側に延びる起立片１０ａが形成され、その起立片１０ａの外面側に側壁体１１の内面部を接当させるように嵌め込み、側壁体１１の位置を規制して装着するように構成され、また、上壁体１２の周部には、下方側に延びる突出片１２ａが形成され、その突出片１２ａの外面部を側壁体１２の内面部に接当させるように嵌め込み、上壁体１２の位置を規制して装着するように構成されている。
【００３３】
前記土台枠体１０には、表面温度センサ８を設置する矩形状の表面温度センサ用設置開口１０ｂと、熱流センサ９を設置する矩形状の熱流センサ用設置開口１０ｃとが形成され、土台枠体１０の裏側には、区画形成体６と暖房対象空間４の床部４ａとの間に隙間が生じないように、パッキンが設けられている。
前記側壁体１１は、断熱材が内蔵された複数の板体１１ａを連結具１３にて連結することにより矩形筒状に形成され、複数の板体１１ａどうしが接当するように折り畳み自在に構成されている。
【００３４】
前記上壁体１２には、図５および図６に示すように、測定対象空間５と暖房対象空間４とを連通する開口部１４と、その開口部１４の開口度合いを調整する調整手段としての人為操作式の調整具１５とが設けられ、雰囲気温度維持手段が調整具１５にて構成されている。
ちなみに、図５は、上壁体１２の平面図であり、図６は、上壁体１２の縦断側面図であり、図６および図７の（イ）は、開口部１４の開口度合いを最大にした状態を示し、図６および図７の（ロ）は、開口部１４の開口度合いを最小にした状態を示している。
【００３５】
説明を加えると、複数の開口部１４が２列に並ぶ状態で形成された板体１２ｂ，１２ｃの２枚が、上下に重ねられた状態で、その板体１２ｂ，１２ｃの周部を覆う支持枠体１２ｄにて支持されている。
下側の板体１２ｂは、固定状態に支持され、上側の板体１２ｃは、下側の板体１２ｂに対して、開口部１４の並び方向に摺動自在に支持されている。
【００３６】
そして、上側の板体１２ｃから上方に突出する把手部１２ｅにて、上側の板体１２ｃを、下側の板体１２ｂに対して、人為操作により開口部１４の並び方向に摺動させて、上側の板体１２ｃの開口部１４と下側の板体１２ｂの開口部１４の重なり度合いを調節することにより、開口部１４の開口度合いを調整して、測定対象空間５内の雰囲気温度を設定温度に維持するように構成されている。
ちなみに、開口部１４の並び方向において、開口部１４の幅を開口部１４どうしの間の閉塞部分の幅よりも大きく、例えば、２倍とすることにより、開口部１４が全閉されないようにしている。
【００３７】
また、上壁体１２における下側の板体１２ｂには、下方側に延設されて、雰囲気温度センサ７を設置する雰囲気温度センサ用設置部１２ｆが設けられている。
【００３８】
前記床暖房性能測定装置は、熱源機１から床暖房パネル２に供給される熱量を、熱源機１から床暖房パネル２までの熱媒流通管３の長さに基づいて推定するために、図１に示すように、熱源機１から床暖房パネル２に供給される熱媒の往き温度を測定する往き温度測定手段としての往き温度センサ１６と、床暖房パネル２から熱源機１に戻される熱媒の戻り温度を測定する戻り温度測定手段としての戻り温度センサ１７と、熱源機１から床暖房パネル２に循環供給される熱媒の循環流量を測定する循環流量測定手段としての循環流量センサ１８とを備えて構成されている。
ちなみに、往き温度センサ１６および戻り温度センサ１７は、アルミテープなどにより熱媒流通管３の外周部に接触する状態で設けられ、その外側に断熱材を巻き付けて外側からの熱を遮断するようにしている。
【００３９】
前記床暖房性能測定装置による床暖房性能測定方法について、以下、説明を加える。
すなわち、区画形成体６を暖房対象空間４の床部４ａ上に載置状態に設置して、その区画形成体６の内部に測定対象空間５を形成し、測定対象空間５内の雰囲気温度、測定対象空間５内の床部４ａの表面温度、および、測定対象空間５内の床部４ａからの放熱量を測定する。
そして、熱媒の往き温度、熱媒の戻り温度、熱媒の循環流量、および、熱源機１から床暖房パネル２までの熱媒流通管３の長さに基づいて、熱源機１から床暖房パネル２に供給される熱量を推定し、その推定された熱量と測定対象空間５内の床部４ａからの放熱量とを比較して、所望の床暖房性能が得られているか否かを判定する。
【００４０】
以下、床暖房性能の測定の手順について、具体的に説明を加える。
まず、熱流センサ９を暖房対象空間４の床部４ａ上に載置し、その熱流センサ９が区画形成体６における土台枠体１０の熱流センサ用設置開口１０ｃに位置させる状態で、土台枠体１０を暖房対象空間４の床部４ａ上に載置し、土台枠体１０に側壁体１１を装着する。
そして、土台枠体１０の表面温度センサ用設置開口１０ｂ内の床部４ａ上に、サージカルテープＳなどを用いて、表面温度センサ９を複数並べる状態で設置し、雰囲気温度センサ用設置部１２ｆに雰囲気温度センサ７を取り付けた状態で、側壁体１１に上壁体１２を装着して、区画形成体６の内部に暖房対象空間４とは熱遮断状態に区画されかつ床部４ａからの熱伝達を許容する測定対象空間５を形成する。
ちなみに、表面温度センサ９は、床暖房パネル２の温水パイプの配設位置を考慮して、温水パイプの長手方向に直交する状態で、所定の間隔を隔てて、例えば、５つ設置する。
【００４１】
その後、リモコンＲにて運転の開始を指令し、熱源機１の運転を開始して、熱源機１から床暖房パネル２への熱媒の循環供給を開始させて、測定対象空間５内の雰囲気温度が設定温度（例えば、２０℃）になるように、調整具１５にて開口部１４の開口度合いを調整しながら、測定対象空間５内の雰囲気温度Ａ、測定対象空間５内の床部４ａの表面温度Ｆ、測定対象空間５内の床部４ａからの放熱量Ｈを測定して、床暖房性能を測定するとともに、熱媒の往き温度Ｔ１、熱媒の戻り温度Ｔ２、熱媒の循環流量Ｒも測定する。
ちなみに、床暖房性能を測定するときには、リモコンＲの設定温度を最高温度に設定し、測定の開始時には、区画形成体６の開口部１４の開口度合いは最小の状態に調整し、測定対象空間５内の雰囲気温度の上昇に伴って開口部１４の開口度合いを大きくなるように調整具１５を操作して、測定対象空間５内の雰囲気温度を設定温度（例えば、２０℃）に維持するようにしている。
【００４２】
具体的な測定については、運転の開始から測定用設定時間（例えば、１時間〜３時間）経過するまで、測定用設定間隔（例えば、５分〜１０分）ごとに、雰囲気温度センサ７、表面温度センサ８、熱流センサ９、往き温度センサ１６、戻り温度センサ１７、および、循環流量センサ１８によって、測定対象空間５内の雰囲気温度Ａ、測定対象空間５内の床部４ａの表面温度Ｆ、測定対象空間５内の床部４ａからの放熱量Ｈ、熱媒の往き温度Ｔ１、熱媒の戻り温度Ｔ２、熱媒の循環流量Ｒを、自動計測装置Ｄにより測定する。
ちなみに、測定対象空間５内の床部４ａの表面温度Ｆについては、複数の表面温度センサ８による検出温度の平均温度を、測定対象空間５内の床部４ａの表面温度Ｆとしている。
【００４３】
そして、熱媒の往き温度、熱媒の戻り温度、熱媒の循環流量、および、熱源機１から床暖房パネル２までの熱媒流通管３の長さに基づいて、熱源機１から床暖房パネル２に供給される熱量を推定し、その推定された熱量と測定対象空間５内の床部４ａからの放熱量とを比較して、所望の床暖房性能が得られているか否かを判定する。
【００４４】
具体的に説明すると、測定対象空間５内の雰囲気温度Ａ、測定対象空間５内の床部４ａの表面温度Ｆ、測定対象空間５内の床部４ａからの放熱量Ｈなどの各測定値が安定した定常状態における、熱媒の往き温度Ｔ１、熱媒の戻り温度Ｔ２、熱媒の循環流量Ｒの測定値を用いて、下記〔数１〕にて熱源機１から床暖房パネル２に供給される単位面積あたりの供給熱量Ｑ１を推定する。
そして、定常状態における熱流センサ９の検出値から測定対象空間５内の床部４ａからの単位面積あたりの放熱量Ｑ１を求めて、その供給熱量Ｑ１と放熱量Ｑ２とが同じような量になるかどうかによって、所望の床暖房性能が得られているか否かを判定する。
ちなみに、熱流センサ９の検出値は電圧（ｍＶ）であるので、電圧値の逆数を係数で乗じて、単位面積あたりの放熱量Ｑ１（Ｗ／ｍ２）を求める。
【００４５】
【数１】
Ｑ１（Ｗ／ｍ２）＝（Ｔ１−Ｔ２−Δｔ）×Ｒ×６０×Ｐ÷０．８６÷Ｍ
【００４６】
なお、上記〔数１〕において、Ｔ１は、熱媒の往き温度であり、Ｔ２は、熱媒の戻り温度であり、Δｔは、熱媒が熱媒流通管３を流動するときに低下する熱媒の下降温度であり、Ｒは、熱媒の循環流量であり、Ｐは、暖房対象空間４の床部４ａにおける床上への放熱比率であり、Ｍは、床暖房パネル２の敷設面積である。
【００４７】
この実施形態においては、熱媒が熱媒流通管３を流動するときに、熱媒流通管３の長さが５ｍに対して、熱媒の温度が１℃低下すると推定して、熱媒流通管３の長さを平均的な１０ｍと仮定して、Δｔ＝２とし、暖房対象空間４の床部４ａにおいて、床上への放熱量：床下への放熱量＝８：２として、Ｐ＝０．８として上記〔数１〕にて演算する。
【００４８】
ちなみに、上述のような測定や判定に加えて、熱媒の往き温度、熱媒の戻り温度、熱源機１のインプット量に基づいて、熱源機１の熱効率を求めたり、暖房対象空間４の雰囲気温度および外気温度を測定して、単位暖房負荷を求めることも可能である。
【００４９】
〔別実施形態〕
（１）上記実施形態では、表面温度センサ７と熱流センサ８を設けて、測定対象空間５内の床部４ａの表面温度と測定対象空間５内の床部４ａからの放熱量を測定するようにしているが、表面温度センサ７のみを設けて、測定対象空間５内の床部４ａの表面温度のみを測定してもよく、逆に、熱流センサ８のみを設けて、測定対象空間５内の床部４ａからの放熱量のみを測定するようにしてもよい。
【００５０】
（２）上記実施形態では、往き温度センサ１６、戻り温度センサ１７、および、循環流量センサ１８を設けて、熱媒の往き温度、熱媒の戻り温度、熱媒の循環流量、および、熱源機１から床暖房パネル２までの熱媒流通管３の長さに基づいて、熱源機１から床暖房パネル２に供給される熱量を推定するようにしているが、往き温度センサ１６、戻り温度センサ１７、および、循環流量センサ１８を設けることなく、熱源機１から床暖房パネル２に供給される熱量を推定しなくてもよい。
また、熱源機１から床暖房パネル２に供給される熱量を推定する場合でも、熱媒の往き温度、熱媒の戻り温度、熱媒の循環流量、および、熱源機１から床暖房パネル２までの熱媒流通管３の長さに基づいて、熱源機１から床暖房パネル２に供給される熱量を推定する構成に限られるものではなく、その他の情報に基づいて、熱源機１から床暖房パネル２に供給される熱量を推定するように構成してもよい。
【００５１】
（３）上記実施形態では、雰囲気温度維持手段として、区画形成体６の開口部１４の開口度合いを調整する人為操作式の調整具１５を設けるようにしているが、この構成に代えて、例えば、調整具１５を電動式に構成したり、あるいは、作動状態において測定対象空間５内で気流が生じないように冷却ファンを設けて、その冷却ファンの回転速度を制御することにより、自動的に測定対象空間５内の雰囲気温度を設定温度に維持することも可能であり、雰囲気温度維持手段の構成については、人為操作式の調整具１５によるものに限られるものではない。
【００５２】
（４）上記実施形態では、区画形成体６の側壁体１１を折り畳み自在に構成したが、必ずしも折り畳み自在に構成する必要はない。
また、区画形成体６の形状や区画形成体６を構成する部材については、適宜変更が可能である。
【００５３】
（５）上記実施形態では、床暖房用の放熱体として、熱媒循環式の床暖房パネル２を例示したが、電気式の床暖房パネルや電気カーペットなど、床暖房用の放熱体として各種のものが適応可能である。
【図面の簡単な説明】
【図１】床暖房性能測定装置を設置した状態での床暖房設備の概略構成図
【図２】床暖房性能測定装置の縦断側面図
【図３】床暖房性能測定装置の分解斜視図
【図４】区画形成体の斜視図
【図５】区画形成体を折り畳んだ状態での斜視図
【図６】区画形成体の要部を示す平面図
【図７】区画形成体の要部を示す縦断側面図
【図８】暖房対象空間の床部の表面温度と暖房対象空間の雰囲気温度との時間経過に伴う変化を示すグラフ
【符号の説明】
１              熱源
２              床暖房用の放熱体
３              熱媒流通管
４              暖房対象空間
５              測定対象空間
６              区画形成体
７              雰囲気温度測定手段
８              表面温度測定手段
９              放熱量測定手段
１４            開口部
１５            雰囲気温度維持手段としての調整手段
１６            往き温度測定手段
１７            戻り温度測定手段
１８            循環流量測定手段
【図１】
2004150703.tif 000003
【図２】
2004150703.tif 000004
【図３】
2004150703.tif 000005
【図４】
2004150703.tif 000006
【図５】
2004150703.tif 000007
【図６】
2004150703.tif 000008
【図７】
2004150703.tif 000009
【図８】
2004150703.tif 000010